(57)【要約】【課題】空調エリアの冷えすぎや暖まりすぎを抑制する空調システムを提供する。【解決手段】空調システムは、建物内の複数の空調エリアのそれぞれに対して空調空気を供給する装置である。空調システムは、ステップＳ２０において、複数の空調エリアのうち、サーモオフ実行条件が成立してサーモオフ温度を満たす空調エリアが一つでも存在すると判定すると、ステップＳ３０において他の空調エリアに対して加速空調制御を実施する。この加速空調制御により、サーモオフ温度を満たしていない空調エリアの温度がサーモオフ温度に早く近づくようになる。【選択図】図３
2020051700.tif 000002
【特許請求の範囲】
【請求項１】
複数の空調エリアのそれぞれに対して空調空気を供給する空調システム（１）であって、
複数の前記空調エリアのうち、サーモオフ温度を満たす空調エリアが一つでも存在する場合に、他の前記空調エリアに対してサーモオフ温度に到達する速度を高める加速空調制御を実施する空調システム。
【請求項２】
複数の前記空調エリアのそれぞれに供給される空調空気の流路を開閉する流路開度調整装置（１４１，１４２，１４３，１４５，１４６，１５１，１５２，１５３，１５５，１５６）を備え、
前記流路の開度が大きくなるように前記流路開度調整装置を制御することにより前記加速空調制御を実施する請求項１に記載の空調システム。
【請求項３】
ヒートポンプサイクルを循環する冷媒を吐出する圧縮機（１１１）を備え、
前記加速空調制御は、さらに冷媒吐出量を増加させるように前記圧縮機を制御することを含む請求項２に記載の空調システム。
【請求項４】
複数の前記空調エリアのそれぞれに供給される空調空気を送風する室内送風機（１０１）を備え、
前記加速空調制御は、さらに前記空調空気の送風量が大きくなるように前記室内送風機を制御することを含む請求項２に記載の空調システム。
【請求項５】
ヒートポンプサイクルを循環する冷媒を吐出する圧縮機（１１１）を備え、
冷媒吐出量を増加させるように前記圧縮機を制御して空調出力を上げることにより前記加速空調制御を実施する請求項１に記載の空調システム。
【請求項６】
複数の前記空調エリアのそれぞれに供給される空調空気を送風する室内送風機（１０１）を備え、
前記加速空調制御は、さらに前記空調空気の送風量が大きくなるように前記室内送風機を制御することを含む請求項５に記載の空調システム。
【請求項７】
複数の前記空調エリアのそれぞれに供給される空調空気を送風する室内送風機（１０１）を備え、
前記空調空気の送風量が大きくなるように前記室内送風機を制御することにより前記加速空調制御を実施する請求項１に記載の空調システム。
【請求項８】
複数の前記空調エリアのうち、サーモオフ温度を満たす空調エリアが一つでも存在するときに、すべての前記空調エリアに対応する前記流路開度調整装置の開度が下限値であり、または流路を閉じている状態である場合には、前記加速空調制御を実施せずに、すべての前記空調エリアに対して空調を停止するサーモオフ処理を実施する請求項２から請求項４のいずれか一項に記載の空調システム。
【請求項９】
前記加速空調制御を実施してから所定時間経過後に、サーモオフ温度を満たしていない空調エリアがある場合には、すべての前記空調エリアに対して空調を停止するサーモオフ処理を実施する請求項１から請求項７のいずれか一項に記載の空調システム。
【請求項１０】
複数の前記空調エリアのうち、一つの空調エリアがサーモオフ温度を満たしたときから待機時間経過後に、前記加速空調制御を開始する請求項１から請求項９のいずれか一項に記載の空調システム。
【請求項１１】
複数の空調エリアのそれぞれに対して空調空気を供給する空調システム（１）であって、
複数の前記空調エリアのうち、サーモオフ温度を満たす空調エリアが一つでも存在する場合に、すべての空調エリアに対して空調を停止するサーモオフ処理を実施する空調システム。
【請求項１２】
複数の前記空調エリアのうち、サーモオフ温度を満たす空調エリアが一つでも存在したときから所定の待機時間経過後に、前記サーモオフ処理を開始する請求項１１に記載の空調システム。
【請求項１３】
前記サーモオフ処理の実施後に、前記サーモオフ温度を満たしている空調エリアに対応するダンパ装置を、下限値の開度または流路を閉じる開度に設定する請求項１１または請求項１２に記載の空調システム。
【請求項１４】
前記サーモオフ処理の実施後に、前記サーモオフ温度を満たしていない空調エリアに対応するダンパ装置を、上限値の開度または流路を開放した開度に設定する請求項１１から請求項１３のいずれか一項に記載の空調システム。
【請求項１５】
複数の前記空調エリアは、前記空調システムが空調空気を供給するすべての空調エリアである請求項１から請求項１４のいずれか一項に記載の空調システム。
【請求項１６】
前記サーモオフ温度を満たすか否かを判定する空調エリアを設定可能な対象エリア操作部（１６ｂ，１６１ｂ，１６２ｂ，１６３ｂ，１６４ｂ）を備え、
前記対象エリア操作部の操作によって設定された複数の前記空調エリアについて、前記サーモオフ温度を満たす空調エリアが一つでもあるか否かを判定する請求項１から請求項１４のいずれか一項に記載の空調システム。
【請求項１７】
人が在室している空調エリアを検出可能な在室検出装置（１７）を備え、
前記在室検出装置によって人の在室が検出された複数の前記空調エリアについて、前記サーモオフ温度を満たす空調エリアが一つでもあるか否かを判定する請求項１から請求項１４のいずれか一項に記載の空調システム。
【発明の詳細な説明】
【技術分野】
【０００１】
この明細書における開示は、空調システムに関する。
【背景技術】
【０００２】
特許文献１は、空調空間に対する冷房運転時または暖房運転時に、サーモオフ状態にする所定の温度ゾーンに対して一つ手前の温度ゾーンに属する状態が所定時間続くと、圧縮機を停止させてサーモオフ状態を実行する空気調和機を開示している。空気調和機に係る制御部は、室内温度と目標温度との温度差に関して、その大きさに応じた複数の温度ゾーンをあらかじめ記憶している。
【先行技術文献】
【特許文献】
【０００３】
【特許文献１】特許第６０９４５６１号公報
【発明の概要】
【発明が解決しようとする課題】
【０００４】
特許文献１は、一つの空調エリアに対して、おやすみ冷房運転時の室内の冷えすぎを防止したり、おやすみ暖房運転時の室内の暖めすぎを防止したりできる空気調和機の一例を提案している。複数の空調エリアに対して空調を行う空調システムにはさらなる改良が求められている。
【０００５】
この明細書における開示の目的は、空調エリアの冷えすぎや暖まりすぎを抑制する空調システムを提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、一つの態様として後述する実施形態に記載の具体的手段との対応関係を示す一例であって、技術的範囲を限定するものではない。
【０００７】
開示された空調システムの一つは、複数の空調エリアのそれぞれに対して空調空気を供給する空調システム（１）であって、複数の空調エリアのうち、サーモオフ温度を満たす空調エリアが一つでも存在する場合に、他の空調エリアに対してサーモオフ温度に到達する速度を高める加速空調制御を実施する。
【０００８】
この空調システムによれば、複数の空調エリアのうち少なくとも一つの空調エリアについてサーモオフ温度を満たす場合に、サーモオフ温度を満たしていない他の空調エリアに対して加速空調制御を実施して、早期にサーモオフ温度を満たす温度に近づける。したがって、空調エリアの冷えすぎや暖まりすぎを抑制する空調システムを提供できる。
【０００９】
開示された空調システムの一つは、複数の空調エリアのそれぞれに対して空調空気を供給する空調システム（１）であって、複数の空調エリアのうち、サーモオフ温度を満たす空調エリアが一つでも存在する場合に、すべての空調エリアに対して空調を停止するサーモオフ処理を実施する。
【００１０】
この空調システムによれば、複数の空調エリアのうち少なくとも一つの空調エリアについてサーモオフ温度を満たす場合に、すべての空調エリアに対してサーモオフ処理を実施して、これ以上、空調が行き渡らないようにして温調を停止する。したがって、空調継続による空調エリアの冷えすぎや暖まりすぎを抑制する空調システムを提供できる。
【図面の簡単な説明】
【００１１】
【図１】第１実施形態に係る空調システムの構成を示す概要構成図である。
【図２】空調システムに関する制御構成を示す図である。
【図３】空調システムが第１実施形態において実行する加速制御を示したフローチャートである。
【図４】冷房運転時における加速制御の一例であるダンパ装置の開度制御に関するタイムチャートである。
【図５】暖房運転時における加速制御の一例であるダンパ装置の開度制御に関するタイムチャートである。
【図６】冷房運転時における加速制御の一例である圧縮機等の開度制御に関するタイムチャートである。
【図７】暖房運転時における加速制御の一例である圧縮機等の開度制御に関するタイムチャートである。
【図８】第２実施形態において実行するサーモオフに関する制御を示したフローチャートである。
【図９】第３実施形態において実行する制御を示したフローチャートである。
【図１０】第４実施形態において実行する制御を示したフローチャートである。
【図１１】第５実施形態に係る空調システムの構成を示す概要構成図である。
【図１２】第５実施形態において実行するサーモオフに関する制御を示したフローチャートである。
【図１３】第６実施形態に係る空調システムの構成を示す概要構成図である。
【図１４】第６実施形態において実行するサーモオフに関する制御を示したフローチャートである。
【図１５】第７実施形態において実行する加速制御を示したフローチャートである。
【図１６】第８実施形態において実行するサーモオフに関する制御を示したフローチャートである。
【図１７】第９実施形態において実行する加速制御を示したフローチャートである。
【発明を実施するための形態】
【００１２】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各形態で具体的に組み合わせが可能であることを明示している部分同士の組み合わせばかりではなく、特に組み合わせに支障が生じなければ、明示していなくても形態同士を部分的に組み合せることも可能である。
【００１３】
（第１実施形態）
第１実施形態では、開示の目的を達成可能な空調システムの一例である空調システム１について図１〜図７を参照して説明する。空調システム１は、建物に設置される装置である。建物は、例えば、戸建て住宅、各世帯の住居空間において複数の空調エリアを備えるマンションなどの集合住宅、複数の空調エリアを有するビルなどを含んでいる。空調システム１は、熱源装置が生成した熱エネルギによって温度調節した空調空気を建物の所定のエリアに供給する。
【００１４】
空調システム１が設置される建物は、その内部に複数の空調エリアを備えている。空調エリアは、室内機１０によって温度調節された空調空気が供給される室などの空調対象空間である。複数の空調エリアは、例えば、リビング、キッチン、寝室、客室などの各室、玄関、廊下などのオープンスペースである。
【００１５】
空調システム１は、室内機１０と、室外機１１と、複数の分岐チャンバ１３〜１５と、複数のダンパ装置１４１〜１４６，１５１〜１５６と、吸込口１２と、複数の吹出口とを備える。空調システム１が備える吸込口１２は、単数または複数である。空調システム１は、吸込口１２と室内機１０を接続する吸気ダクト１２ａと、分岐チャンバ１３と分岐チャンバ１４を接続する中間ダクト１３ａと、分岐チャンバ１３と分岐チャンバ１５を接続する中間ダクト１３ｂとを備える。分岐チャンバ１３は、室内機１０から送風された空気を、分岐チャンバ１４と分岐チャンバ１５とに分配する二つの分岐部を備える。空調システム１は、主に室内機１０の運転を制御するシステム制御部１００と、室外機１１の運転を制御する室外機制御部１１０と、ダンパ装置１４１〜１４６を制御するダンパ制御部１４０とダンパ装置１５１〜１５６を制御するダンパ制御部１５０とを備える。システム制御部１００は、室外機制御部１１０や各ダンパ制御部に対して、制御信号を用いて運転指令を出力する機能を有している。
【００１６】
空調システム１は、複数の空調エリアの一例として設定されている、第１エリア２１、第２エリア２２、第３エリア２３、第４エリア２４および第５エリア２５のそれぞれに、吹出口とリモコンとを備える。リモコンはリモートコントローラの略称である。第１エリア２１は、複数の空調エリアの中でメインとなるエリアであり、例えばリビングダイニングキッチンやホールなどの広いスペースである。第１エリア２１には、複数の吹出口１４１ｂ，１４２ｂ，１４３ｂ，１４４ｂ，１４５ｂと、メインリモコン１６とが設置されている。メインリモコン１６は、第１エリア２１における現在の温度、例えば室温を検出してシステム制御部１００に出力する室温センサ１６ａを内蔵している。
【００１７】
第２エリア２２は、居室の一つであり、例えば和室である。第２エリア２２には、吹出口１４６ｂと個別リモコン１６１とが設置されている。個別リモコン１６１は、第２エリア２２における現在の温度、例えば室温を検出してシステム制御部１００に出力する室温センサ１６１ａを内蔵している。個別リモコン１６１は、個別リモコン１６１における空調操作部の操作によって設定された第２エリア２２に関する空調運転の情報をメインリモコン１６に出力する。第３エリア２３は、居室の一つであり、例えば主寝室である。第３エリア２３には、複数の吹出口１５１ｂ，１５２ｂ，１５３ｂと、個別リモコン１６２とが設置されている。個別リモコン１６２は、第３エリア２３における現在の温度、例えば室温を検出してシステム制御部１００に出力する室温センサ１６２ａを内蔵している。個別リモコン１６２は、個別リモコン１６２における空調操作部の操作によって設定された第３エリア２３に関する空調運転の情報をメインリモコン１６に出力する。
【００１８】
第４エリア２４は、居室の一つであり、例えば洋室である。第４エリア２４には、複数の吹出口１５４ｂ，１５５ｂと、個別リモコン１６３とが設置されている。個別リモコン１６３は、第４エリア２４における現在の温度、例えば室温を検出してシステム制御部１００に出力する室温センサ１６３ａを内蔵している。個別リモコン１６３は、個別リモコン１６３における空調操作部の操作によって設定された、第４エリア２４に関する空調運転の情報をメインリモコン１６に出力する。第５エリア２５は、居室の一つであり、例えば洋室である。第５エリア２５には、吹出口１５６ｂと個別リモコン１６４とが設置されている。個別リモコン１６４は、第５エリア２５における現在の温度、例えば室温を検出してシステム制御部１００に出力する室温センサ１６４ａを内蔵している。個別リモコン１６４は、個別リモコン１６４における空調操作部の操作によって設定された第５エリア２５に関する空調運転の情報をメインリモコン１６に出力する。
【００１９】
システム制御部１００には、各個別リモコンからメインリモコン１６に出力された空調運転の情報と、メインリモコン１６において設定された第１エリア２１や建物全体に関する空調運転の情報とが入力される。また、システム制御部１００には、各エリアに関する空調運転の情報がメインリモコン１６を介さないで各個別リモコンから直接入力されるように構成してもよい。
【００２０】
分岐チャンバ１４は、分岐チャンバ１３から中間ダクト１３ａを介して送風された空気を各吹出口へそれぞれ分配する６個の分岐部を備えている。６個の分岐部は、送風ダクト１４１ａ，１４２ａ，１４３ａ，１４４ａ，１４５ａ，１４６ａを介してそれぞれ吹出口１４１ｂ，１４２ｂ，１４３ｂ，１４４ｂ，１４５ｂに連結されている。分岐チャンバ１４は、各分岐部にダンパ装置１４１、ダンパ装置１４２、ダンパ装置１４３、ダンパ装置１４４、ダンパ装置１４５、ダンパ装置１４６をそれぞれ有し、各ダンパ装置は各分岐部における流路の開度を制御可能である。
【００２１】
分岐チャンバ１５は、分岐チャンバ１３から中間ダクト１３ｂを介して送風された空気を各吹出口へそれぞれ分配する６個の分岐部を備えている。６個の分岐部は、送風ダクト１５１ａ，１５２ａ，１５３ａ，１５４ａ，１５５ａ，１５６ａを介してそれぞれ吹出口１５１ｂ，１５２ｂ，１５３ｂ，１５４ｂ，１５５ｂに連結されている。分岐チャンバ１５は、各分岐部にダンパ装置１５１、ダンパ装置１５２、ダンパ装置１５３、ダンパ装置１５４、ダンパ装置１５５、ダンパ装置１５６をそれぞれ有し、各ダンパ装置は各分岐部における流路の開度を制御可能である。空調システム１が備える各ダンパ装置は、所定の開度範囲ずつ可変する構成でもよいし、任意の開度に変化できる構成でもよい。各ダンパ装置は、複数の空調エリアのそれぞれに供給される空調空気の流路を開閉する流路開度調整装置の一例である。
【００２２】
空調システム１において、ダンパ装置と吹出口とは一対一に対応しているため、ダンパ装置の個数と吹出口の個数とは同数である。あるいは、空調システム１においてダンパ装置は、同一の空調エリアに設置された複数の吹出口に通じる通路を開閉可能となるように構成されている形態でもよい。
【００２３】
室内機１０と室外機１１は、空調システム１が備える熱源装置の一例である。室内機１０と室外機１１は、ヒートポンプサイクルを備えている。ヒートポンプサイクルは、冷暖房可能な冷媒回路を有している。一つの構成としてのヒートポンプサイクルは、圧縮機１１１と四方弁と室外熱交換器と絞り装置と室内熱交換器とアキュムレータと電磁弁とを備え、これらを順次、配管により接続して構成される閉サイクルの冷媒回路を備える。室内機１０は、室内送風機１０１および室内熱交換器を内蔵している。室外機１１は、圧縮機１１１、四方弁、絞り装置、室外熱交換器、アキュムレータおよび電磁弁を内蔵している。
【００２４】
圧縮機１１１は、モータに通電されることにより、冷媒を圧縮して吐出する圧縮機構部を駆動する電動式の圧縮機である。圧縮機１１１は、吸入部がアキュムレータの流出部に連結されており、吐出部が四方弁に連結されている。圧縮機１１１と四方弁を連結する通路を形成する配管には、冷媒の圧力を検出してシステム制御部１００に出力する圧力センサが設置されている。圧縮機１１１の運転は、システム制御部１００と情報通信して連携する室外機制御部１１０によって制御されている。
【００２５】
四方弁と電磁弁は、冷媒の流路を、冷房運転を実施する冷房用流路と暖房運転を実施する暖房用流路とにわたって切り換えることができる流路切換装置の一つである。冷房運転の際には、室内熱交換器は空気を冷却する冷却用熱交換器として機能し、室外熱交換器は外部に熱を放出する放熱用熱交換器として機能する。暖房運転の際には、室外熱交換器は空気から吸熱する吸熱用熱交換器として機能し、室内熱交換器は外部に熱を放出して空気を加熱する加熱用熱交換器として機能する。室外熱交換器には、外気を通風する室外送風機１１２が付設されている。室外送風機１１２によって送風される外気は、室外熱交換器の熱交換コア部を流通する冷媒と熱交換する。室外熱交換器よりも空気流れの上流側には、外気温度を検出してシステム制御部１００に出力する外気温度センサが設置されている。室外送風機１１２の運転は、システム制御部１００と情報通信して連携する室外機制御部１１０によって制御されている。
【００２６】
室内熱交換器には、室内熱交換器の熱交換コア部を通過した空気を空調エリアに向けて送風する室内送風機１０１が付設されている。室内送風機１０１によって送風される空気は、室内熱交換器の熱交換コア部を流通する冷媒と熱交換する。室内熱交換器よりも空気流れの下流側には、各吹出口に送風される空気の温度を検出してシステム制御部１００に出力する吹出し温度センサが設置されている。空調システム１では、複数の空調エリアの各々に吹出し温度センサが１個ずつ設置されている。空調システム１は、各空調エリアの温度を吹出し温度センサによって計測する。各空調エリアに単位時間に供給される熱量は、各吹出口から供給される空気の温度および流量により決まる。
【００２７】
絞り装置は、あらかじめ設定された開度を有しており、高圧冷媒を減圧膨張する減圧装置の一例である。冷媒回路を流通する冷媒は、絞り装置によって減圧された状態で室内熱交換器に流入する。絞り装置は、キャビラリチューブで構成してもよいし、開度が調整可能な電子式膨張弁に置き換えてもよい。
【００２８】
空調システム１では、室内機１０からの送風空気は各送風ダクトを通じて各空調エリアに供給される。室内機１０が取り込む空気は、建物内に設置された吸込口１２から吸気ダクト１２ａ内を通って室内機１０の吸込口に到達する屋内の空気である。吸込口１２には、複数の空調エリアのそれぞれから、部屋の扉に設けられたスリットなどの隙間を通って流出した空気が集まって吸い込まれる。空調システム１では、室内機１０および室外機１１により生成された熱エネルギを複数の吹出口に分配する割合は、各流路に対する各ダンパ装置の開度により決まる。
【００２９】
システム制御部１００、室外機制御部１１０、各ダンパ制御部等の制御装置は、空調運転制御において、各空調エリアにおける現在の温度と目標温度との差を小さくするように、室内機１０、室外機１１および各ダンパ装置の運転を制御する。明細書における目標温度は、制御部が決定した温度でもよいし、各空調エリアについて設定された設定温度としてもよい。各空調エリアは、リモコンによって設定された設定温度に近づくようになる。
【００３０】
空調システム１は、空調運転制御において、空調エリアの温度が目標温度からサーモオフ温度の間である場合には、対応するダンパ装置の開度はそのまま維持する。空調システム１は、空調運転制御において、空調エリアの温度がサーモオフ温度を満たしている場合には、対応するダンパ装置の開度を閉じる。
【００３１】
空調システム１は、空調運転制御において各ダンパ装置を、まだ目標温度に到達していない現在の室内温度と目標温度との差が大きいほど、開度維持または大きな開度になるように制御してもよいし、風量を大きくするために大きな開度ずつ開くように開度変化量を可変させて制御してもよい。空調システム１は、空調運転制御において各ダンパ装置を、まだ目標温度に到達していない現在の室内温度と目標温度との差が小さいほど、開度維持または小さな開度になるように制御してもよいし、小さな開度ずつ開くように開度変化量を可変させて制御してもよい。
【００３２】
各空調エリアに設置されたリモコンは、表示装置とタッチパッドとを含むタッチパネルを備えて、ユーザインターフェイスとして機能する。各リモコンは、空調システム１の運転中に表示状態になる動作表示部としての表示画面部と各種の空調操作部とを有している。各リモコンは、各空調エリアにおける室内温度の設定、冷房の運転および停止、暖房の運転および停止、除湿の運転および停止などを入力可能な空調操作部を備えている。表示画面部は、システム制御部１００からの命令信号に応じた表示状態に制御される。
【００３３】
室内機１０の運転、停止、設定温度などの操作信号、各種センサの検出信号が入力されると、システム制御部１００は室外機制御部１１０、各ダンパ制御部等と通信する。システム制御部１００は、空調操作部によって設定された、マニュアル運転による指令や自動運転の設定温度に応じて所定の演算処理を実行し、室内送風機１０１の送風量、圧縮機１１１の回転数、室外送風機１１２の回転数、各ダンパ装置の開度を制御する。
【００３４】
空調操作部には、居住者、在室者等のユーザが操作可能な空調装置の強制運転操作部、自動運転操作部等を含んでいる。ユーザが冷房、暖房、除湿などの各種運転を命令可能な強制運転指令操作部を操作すると、操作に応じた運転指令信号がシステム制御部１００の入力部に入力される。システム制御部１００は、室外機制御部１１０、各ダンパ制御部と連携して、暖房運転または冷房運転を実行するための空調機器を運転する。ユーザが自動運転操作部を操作すると、対象とする空調エリアについて設定される設定温度、送風量などを含む自動運転指令信号がシステム制御部１００の入力部に入力される。システム制御部１００は、室外機制御部１１０、各ダンパ制御部と連携して、各空調エリアの設定温度などに応じて、暖房運転や冷房運転を実行する。
【００３５】
システム制御部１００、室外機制御部１１０、ダンパ制御部１４０またはダンパ制御部１５０は、他の制御部、制御対象部品、各リモコン、各種センサ等と通信するインターフェース部と、演算処理部と、記憶部とを少なくとも備える。記憶部は、コンピュータによって読み取り可能なプログラムを非一時的に格納する非遷移的実体的記憶媒体であり、半導体メモリまたは磁気ディスクなどによって提供されうる。演算処理部は、演算処理装置であり、インターフェース部を通して各リモコンや各種センサから取得した情報と、記憶部に記憶された制御特性マップやデータとを用いて所定のプログラムにしたがった判定処理や演算処理を行う。演算処理部は、各制御部における演算実行部であり判定処理実行部である。インターフェース部は、演算処理部による判定結果、演算結果に基づいて制御対象部品を作動させる。インターフェース部は、各制御部における入力部および制御出力部である。
【００３６】
また、システム制御部１００、室外機制御部１１０、ダンパ制御部１４０、ダンパ制御部１５０のそれぞれは、制御システムの一部を提供する。制御システムは、少なくとも一つのプロセッサを備える。プロセッサは、実体的なメモリ装置に記録されたソフトウェアおよびそれを実行するコンピュータ、ソフトウェアのみ、ハードウェアのみ、あるいはそれらの組合せによって提供することができる。例えば、プロセッサは、if-then-else形式と呼ばれるロジック、または機械学習によってチューニングされた学習済みモデル（ニューラルネットワーク）によって提供することができる。
【００３７】
プロセッサの一例は、演算処理装置（ＣＰＵ）と、プログラムとデータとを記憶する記憶媒体としての少なくとも一つのメモリ装置（ＭＭＲ）とを有する。プロセッサの一例は、コンピュータによって読み取り可能な記憶媒体を備えるコンピュータによって提供される。記憶媒体は、コンピュータによって読み取り可能なプログラムを非一時的に格納する非遷移的実体的記憶媒体である。記憶媒体は、半導体メモリまたは磁気ディスクなどによって提供されうる。プログラムは、制御システムによって実行されることによって、制御システムをこの明細書に記載される装置として機能させ、この明細書に記載される方法を実行するように制御システムを機能させる。プロセッサの一例は、ハードウェアである電子回路によって提供することができる。この場合、プロセッサは、多数の論理回路を含むデジタル回路、またはアナログ回路によって提供することができる。
【００３８】
制御システムは、一つのプロセッサ、またはデータ通信装置によってリンクされた一組のプロセッサによって提供されうる。制御システムが提供する手段および／または機能の一部は、それら機能を達成するように構成されたプロセッサによって提供される。「機能を達成するように構成されたプロセッサ」の語は、ソフトウェアにより上記機能を達成する場合と、ハードウェアによって上記機能を達成する場合と、ソフトウェアとハードウェアとの両方により上記機能を達成する場合とを含む。
【００３９】
制御システムに含まれる制御装置と信号源と制御対象物とは、多様な要素を提供する。それらの要素の少なくとも一部は、機能を実行するためのブロックと呼ぶことができる。別の観点では、それらの要素の少なくとも一部は、構成として解釈されるモジュール、またはセクションと呼ぶことができる。さらに、制御システムに含まれる要素は、意図的な場合にのみ、その機能を実現する手段とも呼ぶことができる。
【００４０】
複数の空調エリアを１台の熱源装置によって空調する空調システム１の場合、空調運転を提供しているすべての空調エリアについてサーモオフ温度を満たした場合に、空調を停止する通常のサーモオフを実施する。通常のサーモオフは、空調システム１が行う空調運転制御に含まれる運転停止処理の一例である。通常のサーモオフは、例えば、圧縮機１１１の停止、室内送風機１０１の停止、すべてのダンパ装置を閉じる処理によって行うことができる。
【００４１】
サーモオフを実施する閾値であるサーモオフ温度は、空調操作部の操作によって設定された設定温度、または制御部が決定した目標温度に対して、所定の温度差を有するように設定されている。空調システム１は、冷房運転中にはサーモオフ温度を、設定温度または目標温度に対して所定の温度差分、低い温度に設定している。冷房運転中は空調エリアの温度（室温）が設定温度よりも低温になってさらにサーモオフ温度に達すると、空調システム１はサーモオフを実行して、冷えすぎる状態を抑制しようとする。空調システム１は、暖房運転中にはサーモオフ温度を、設定温度または目標温度に対して所定の温度差分、高い温度に設定している。暖房運転中は空調エリアの温度（室温）が設定温度よりも高温になってさらにサーモオフ温度に達すると、空調システム１はサーモオフを実行して暖まりすぎる状態を抑制しようとする。
【００４２】
さらに空調システム１は、複数の空調エリアに対して空調運転を提供する場合に、前述した通常のサーモオフに加え、以下に示す制御を実施することにより、空調エリアの冷えすぎや暖まりすぎを抑えている。空調システム１は、第１実施形態において図３に示すフローチャートにしたがって、室温がサーモオフ温度に到達することを促進する加速空調制御を行う。
【００４３】
空調システム１は、リモコンの空調操作部において空調運転のスイッチがオンされた状態で図３に示すフローチャートの各ステップにおける処理を順に実行し、これらのステップを反復処理することで、空調運転中に図３に示す制御を実行し続ける。すなわち、空調システム１は、空調運転中に、図３のステップＳ２０およびステップＳ３０の処理を継続する。図３に示す制御に係るプログラムやデータは、例えばシステム制御部１００の記憶部に記憶されている。図４〜図７に示したタイムチャートは、図３のステップＳ１０、Ｓ２０、Ｓ３０の処理が順に行われるときの、代表的な空調エリアの温度と各空調機器の作動との関係を示している。
【００４４】
空調システム１に電源が投入された状態において、システム制御部１００は、空調対象となっている空調エリアに対応する各リモコンと連携しながら、ステップＳ１０において前述の空調運転制御を実施して各空調エリアに対して空調空気を供給する。第１実施形態では、空調対象となっている空調エリアは、電源が投入されている状態のリモコンが設置されているエリアである。また、メインリモコン１６において、空調対象となる空調エリアを設定することができるように構成してもよい。あるいは、空調対象となる空調エリアは、空調システム１が空調可能であるすべての空調エリアにデフォルト設定されている構成でもよい。
【００４５】
システム制御部１００は、各リモコンによって設定された空調運転制御を継続している状態において、ステップＳ１０Ａの判定処理を繰り返し実行する。ステップＳ１０Ａでは、前述したように、すべての空調エリアの温度がサーモオフ温度を満たしているか否かを判定する。ステップＳ１０Ａにおいてすべての空調エリアがサーモオフ温度に達していると判定すると、システム制御部１００はステップＳ１０Ｂにおいて、前述のように通常のサーモオフを実行し、ステップＳ１０に戻る。ステップＳ１０Ａにおいてすべての空調エリアがサーモオフ温度に達していない場合はＮＯ判定をし、次にステップＳ２０の判定処理を実行する。
【００４６】
システム制御部１００は、ステップＳ１０ＡにおいてＮＯ判定である場合に、ステップＳ２０とステップＳ３０の処理を繰り返し実行する。ステップＳ２０では、判定対象になっている各空調エリアの温度がサーモオフ実行条件を満たしているかを検出し、少なくとも一つの空調エリアについてサーモオフ実行条件が成立しているか否かを判定する。この実施形態では、ステップＳ２０において判定対象になっている複数の空調エリアは、空調システム１が空調空気を供給するすべての空調エリアである。ステップＳ２０の判定は、冷房運転中においては前述したように空調エリアの室温が設定温度よりも低温になってさらにサーモオフ温度に達した場合に、サーモオフ温度を満たしサーモオフ実行条件が成立したと判定する。また、暖房運転中においては、空調エリアの室温が設定温度よりも高温になってさらにサーモオフ温度に達した場合に、サーモオフ実行条件が成立したと判定する。
【００４７】
つまり、空調対象になっている複数の空調エリアのうち、いずれかのエリアについてサーモオフ実行条件が成立し、残りの空調エリアについて不成立である場合、ステップＳ２０ではＹＥＳ判定を行う。ステップＳ２０では、例えば、一つのエリアで不成立であり残りのエリアで成立している場合もＹＥＳ判定を行うことは言うまでもない。また複数の空調エリアのうち、すべての空調エリアについて不成立である場合、ステップＳ２０ではＮＯ判定を行う。
【００４８】
ステップＳ２０においてＮＯ判定である場合は、空調エリアがまだサーモオフ温度に達しておらず、冷えすぎや暖まりすぎではない状態であるので、再びステップＳ１０に戻って空調運転制御を続行する。そして、前述のように空調運転制御を継続しながらステップＳ２０の判定処理を繰り返し実行する。
【００４９】
ステップＳ２０においてＹＥＳ判定である場合は、システム制御部１００はステップＳ３０において、サーモオフ実行条件が不成立である空調エリアについてサーモオフ実行条件が成立する状態に早く近づけるための加速空調制御を実行する。システム制御部１００は、加速空調制御処理を実行し、再びステップＳ１０に戻って空調運転制御を続行する。ステップＳ３０の加速空調制御により、サーモオフ実行条件が不成立である空調エリアの温度がサーモオフ温度に早く近づくようになる。複数の空調エリアのうち、他のエリアよりも空調負荷が高い空調エリアがなかなかサーモオフ温度に到達しないために室内機１０が空調空気を送風し続けることで、他のエリアが過度に冷えたり暖まったりする。この加速空調制御によれば、高空調負荷である空調エリアを早くサーモオフ温度に近づけるため、空調システム１において空調停止が早く行われて、他のエリアが冷えすぎたり暖まりすぎたりすることを抑制できる。高空調負荷である空調エリアとは、他のエリアに対して、例えば人や機械などの発熱体が多いエリア、外部から取り込まれる日射量が大きいエリア、外部から取り込まれる日射量が小さいエリアが該当する。
【００５０】
システム制御部１００は、サーモオフ温度に到達した空調エリアに対してサーモオフ処理として、対応するダンパ装置の開度を制御可能な下限値になるようにダンパ装置を制御して当該空調エリアに対する空調を実質的に停止する。これにより、サーモオフ処理された空調エリアが冷えすぎたり暖まりすぎたりすることを抑制できる。そしてサーモオフ処理された空調エリアの温度は、サーモオフ状態の継続によって次第にサーモオフ温度と設定温度との間に含まれる温度に戻るようになる。
【００５１】
次に加速空調制御の例について、図４〜図７を参照しながら説明する。冷房運転時における加速空調制御は、一例として各空調機器が図４のタイムチャートに示すように作動する。図４に示すように、複数の空調エリアのうち、空調負荷が高い空調エリアの温度と、これに比べて低空調負荷である空調エリアの温度とでは、低空調負荷エリアの温度が先にサーモオフ温度に到達して低空調負荷エリアにおいてサーモオフ実行条件が成立する。このとき、高空調負荷エリアにおいては、まだサーモオフ実行条件が成立していない。空調システム１は、低空調負荷エリアの温度がサーモオフ温度に到達する一点鎖線で示したタイミングにおいて、加速空調制御を開始する。
【００５２】
このとき空調システム１は、圧縮機１１１の回転数を加速空調制御の開始とともに一定値に維持する。圧縮機１１１の回転数は、圧縮機１１１の冷媒吐出量、あるいは空調出力に比例する関係にある。図４に示す例では、圧縮機１１１の回転数は、加速空調制御の開始以降、下限値に維持されている。さらに空調システム１は、高空調負荷エリアについてサーモオフ実行条件が成立したタイミングで圧縮機１１１の回転を停止する。これにより、送風空気は、室内熱交換器によって温度調節されない状態で送風ダクトに送られる。空調システム１は、室内送風機１０１の送風量を加速空調制御の開始とともに一定値に維持する。図４に示す例では、室内送風機１０１の送風量は、加速空調制御の開始以降、下限値に維持されている。これにより、加速空調制御の開始以降、室内機１０から出力される送風量は下限量に制御される。
【００５３】
空調システム１は、加速空調制御の一例として、サーモオフ実行条件が不成立である高空調負荷エリアに対応するダンパ装置を、流路開度が大きくなるように制御する。この制御により、高空調負荷エリアへの吹き出し風量が増加して、このエリアの温度はさらに低下してサーモオフ温度に近づくように変化する。この空調風量の増加による温度低下効果によって、サーモオフ実行条件が不成立である高空調負荷エリアを迅速にサーモオフ状態に持っていくことができる。高空調負荷エリアについてサーモオフ実行条件が成立すると、空調システム１は、高空調負荷エリアに対応するダンパ装置の開度増加を停止して一定の流路開度に維持する。ダンパ装置の開度が一定の流路開度に維持されると、高空調負荷エリアの温度は上昇して次第に設定温度に近づくように変化する。
【００５４】
空調システム１は、サーモオフ実行条件が成立している低空調負荷エリアに対応するダンパ装置の開度を、加速空調制御の開始とともに一定値に維持する。図４に示す例では、ダンパ装置の開度は、加速空調制御の開始以降、下限値に維持されている。低空調負荷エリアに対応するダンパ装置の開度が下限値に維持されて、高空調負荷エリアに対応するダンパ装置の開度が増加すると、高空調負荷エリアへの送風量が増える分、低空調負荷エリアへの送風量が減少する。これにより低空調負荷エリアへの空調出力が抑えられるため、低空調負荷エリアの冷えすぎを抑制することができる。低空調負荷エリアの温度は、サーモオフ温度を下回った後、高空調負荷エリアについてサーモオフ実行条件が成立するタイミング付近で上昇に転じてサーモオフ温度を上回るように変化する。
【００５５】
暖房運転時における加速空調制御は、一例として各空調機器が図５のタイムチャートに示すように作動する。図５においても、一点鎖線で示したタイミングが加速空調制御の開始に相当する。図５に示すように、複数の空調エリアのうち、空調負荷が高い空調エリアの温度と、これに比べて低空調負荷である空調エリアの温度とでは、低空調負荷エリアの温度が先にサーモオフ温度に到達して低空調負荷エリアにおいてサーモオフ実行条件が成立する。このとき高空調負荷エリアは、まだサーモオフ実行条件が成立していない。暖房運転時において空調システム１は、圧縮機１１１の回転数と室内送風機１０１の送風量とを前述の冷房運転時と同様に制御する。
【００５６】
空調システム１は、暖房運転時における加速空調制御の一例として、サーモオフ実行条件が不成立である高空調負荷エリアに対応するダンパ装置を、流路開度が大きくなるように制御する。この制御により、高空調負荷エリアへの吹き出し風量が増加して、このエリアの温度はさらに上昇してサーモオフ温度に近づくように変化する。この空調風量の増加による温度上昇効果によって、サーモオフ実行条件が不成立である高空調負荷エリアを迅速にサーモオフ状態に持っていくことができる。高空調負荷エリアについてサーモオフ実行条件が成立すると、空調システム１は、高空調負荷エリアに対応するダンパ装置の開度増加を停止して一定の流路開度に維持し、これにより、高空調負荷エリアの温度は低下して次第に設定温度に近づくように変化する。
【００５７】
空調システム１は、低空調負荷エリアに対応するダンパ装置の開度を、加速空調制御の開始とともに一定値に維持する。図５に示す例では、ダンパ装置の開度は、加速空調制御の開始以降、下限値に維持されている。この場合も、前述したように、高空調負荷エリアへの送風量が増える分、低空調負荷エリアへの送風量が減少する。これにより低空調負荷エリアへの空調出力が抑えられるため、低空調負荷エリアの暖まりすぎを抑制することができる。低空調負荷エリアの温度は、サーモオフ温度を上回った後、高空調負荷エリアについてサーモオフ実行条件が成立するタイミング付近で低下に転じてサーモオフ温度を下回るように変化する。
【００５８】
空調システム１は、加速空調制御において、空調エリアの温度がサーモオフ温度を満たしかつ所定の温度範囲に含まれている温度の場合には、対応するダンパ装置の開度はそのまま維持する。空調システム１は、空調運転制御において、空調エリアの温度がサーモオフ温度を満たしかつ所定の温度範囲に含まれないほどサーモオフ温度から乖離している場合には、対応するダンパ装置の開度を閉じる。
【００５９】
空調システム１は、加速空調制御において各ダンパ装置を、すでに目標温度に到達していてサーモオフ温度に達していない現在の室内温度と目標温度との差が大きいほど、開度維持または小さな開度になるように制御してもよいし、小さな開度ずつ開くように開度変化量を可変させて制御してもよい。空調システム１は、加速空調制御において各ダンパ装置を、すでに目標温度に到達していてサーモオフ温度に達していない現在の室内温度と目標温度との差が小さいほど、開度維持または大きな開度になるように制御してもよいし、大きな開度ずつ開くように開度変化量を可変させて制御してもよい。
【００６０】
冷房運転時における加速空調制御は、一例として、圧縮機１１１の回転数または室内送風機１０１の送風量が図６のタイムチャートに示すように制御されることにより行われる。図６においても、一点鎖線で示したタイミングが加速空調制御の開始に相当する。図６に示すように、低空調負荷エリアの温度変化と高空調負荷エリアの温度変化とは、図４に示す温度変化と同様である。
【００６１】
空調システム１は、冷房運転時における加速空調制御の一例として、圧縮機１１１の回転数を増加させるように制御する。この圧縮機の出力増加による加速空調制御により、高空調負荷エリアへの送風空気の温度が低下して、このエリアの温度はさらに低下してサーモオフ温度に近づくように変化する。この冷房出力の増加による温度低下効果によって、サーモオフ実行条件が不成立である高空調負荷エリアを迅速にサーモオフ状態に持っていくことができる。高空調負荷エリアについてサーモオフ実行条件が成立すると、空調システム１は、圧縮機１１１の運転を停止して建物内への冷房出力を大きく低減する。冷房出力を大きく低減すると、高空調負荷エリアの温度は上昇して次第に設定温度に近づくように変化する。一方、サーモオフ実行条件が成立している低空調負荷エリアの温度は、冷房出力の増加によって一時的にサーモオフ温度を下回った後、圧縮機１１１の運転停止によって上昇に転じてサーモオフ温度を上回るように変化する。このように低空調負荷エリアへの空調出力が抑えられるため、低空調負荷エリアの冷えすぎを抑制することができる。
【００６２】
空調システム１は、冷房運転時における加速空調制御の一例として、室内送風機１０１の送風量を増加させるように制御してもよい。この送風量増加による加速空調制御により、高空調負荷エリアへの冷房風量が増加して、このエリアの温度はさらに低下してサーモオフ温度に近づくように変化する。この冷房風量の増加による温度低下効果によって、サーモオフ実行条件が不成立である高空調負荷エリアを迅速にサーモオフ状態に持っていくことができる。高空調負荷エリアについてサーモオフ実行条件が成立すると、空調システム１は、室内送風機１０１の送風量を下限値に制御して建物内への冷房風量を大きく低減する。冷房風量を大きく低減すると、高空調負荷エリアの温度は上昇して次第に設定温度に近づくように変化する。一方、サーモオフ実行条件が成立している低空調負荷エリアの温度は、冷房風量の増加によって一時的にサーモオフ温度を下回った後、室内送風機１０１の送風量が下限値に制御されることによって上昇に転じてサーモオフ温度を上回るように変化する。このように低空調負荷エリアへの空調風量が抑えられるため、低空調負荷エリアの冷えすぎを抑制することができる。
【００６３】
暖房運転時における加速空調制御は、一例として、圧縮機１１１の回転数または室内送風機１０１の送風量が図７のタイムチャートに示すように制御されることにより行われる。図７においても、一点鎖線で示したタイミングが加速空調制御の開始に相当する。図７に示すように、低空調負荷エリアの温度変化と高空調負荷エリアの温度変化とは、図５に示す温度変化と同様である。暖房運転時において空調システム１は、圧縮機１１１の回転数と室内送風機１０１の送風量とを、図６に示した冷房運転時と同様に制御する。
【００６４】
空調システム１は、暖房運転時における加速空調制御の一例として、圧縮機１１１の回転数を増加させるように制御する。この圧縮機の出力増加による加速空調制御により、高空調負荷エリアへの送風空気の温度が上昇して、このエリアの温度はさらに上昇してサーモオフ温度に近づくように変化する。この暖房出力の増加による温度上昇効果によって、サーモオフ実行条件が不成立である高空調負荷エリアを迅速にサーモオフ状態に持っていくことができる。高空調負荷エリアについてサーモオフ実行条件が成立すると、空調システム１は、圧縮機１１１の運転を停止して建物内への暖房出力を大きく低減する。暖房出力を大きく低減すると、高空調負荷エリアの温度は低下して次第に設定温度に近づくように変化する。一方、サーモオフ実行条件が成立している低空調負荷エリアの温度は、暖房出力の増加によって一時的にサーモオフ温度を上回った後、圧縮機１１１の運転停止によって低下に転じてサーモオフ温度を下回るように変化する。このように低空調負荷エリアへの空調出力が抑えられるため、低空調負荷エリアの暖まりすぎを抑制することができる。
【００６５】
空調システム１は、暖房運転時における加速空調制御の一例として、室内送風機１０１の送風量を増加させるように制御してもよい。この送風量増加による加速空調制御により、高空調負荷エリアへの暖房風量が増加して、このエリアの温度はさらに上昇してサーモオフ温度に近づくように変化する。この暖房風量の増加による温度上昇効果によって、サーモオフ実行条件が不成立である高空調負荷エリアを迅速にサーモオフ状態に持っていくことができる。高空調負荷エリアについてサーモオフ実行条件が成立すると、空調システム１は、室内送風機１０１の送風量を下限値に制御して建物内への暖房風量を大きく低減する。暖房風量を大きく低減すると、高空調負荷エリアの温度は低下して次第に設定温度に近づくように変化する。一方、サーモオフ実行条件が成立している低空調負荷エリアの温度は、暖房風量の増加によって一時的にサーモオフ温度を上回った後、室内送風機１０１の送風量が下限値に制御されることによって低下に転じてサーモオフ温度を下回るように変化する。このように低空調負荷エリアへの空調風量が抑えられるため、低空調負荷エリアの暖まりすぎを抑制することができる。
【００６６】
第１実施形態の空調システム１がもたらす作用、効果について説明する。空調システム１は、複数の空調エリアのそれぞれに対して空調空気を供給する。空調システム１は、複数の空調エリアのうち、サーモオフ温度を満たす空調エリアが一つでも存在する場合に、他の空調エリアに対してサーモオフ温度に到達する速度を高める加速空調制御を実施する。
【００６７】
この空調システム１によれば、複数の空調エリアのうち少なくとも一つの空調エリアについてサーモオフ温度を満たす場合に、サーモオフ温度を満たしていない他の空調エリアに対して加速空調制御を実施する。この加速空調制御により、サーモオフ温度を満たしていない他の空調エリアを、サーモオフ温度を満たす状態に早期に温度に近づけることができる。空調システム１は、複数の空調エリアの冷えすぎや暖まりすぎを抑制することに寄与する。空調システム１は、空調エリアにいる人が快適性を損なってしまう状況を早期に解消することができる。
【００６８】
空調システム１は、複数の空調エリアのそれぞれに供給される空調空気の流路を開閉する流路開度調整装置を備える。空調システム１は、流路の開度が大きくなるように流路開度調整装置を制御することにより加速空調制御を実施する。この構成によれば、流路開度調整装置によって流路の開度を大きく制御することにより、下流の空調エリアへの送風量が増加して、より大きな空調能力を供給できる。このように、流路開度調整という加速空調制御により、省エネルギが図れ、空調エリアの温度をサーモオフ温度に早く持っていくことができる。
【００６９】
加速空調制御は、流路開度調整装置の制御に加え、さらに冷媒吐出量を増加させるように圧縮機１１１を制御することを含んでいる。この構成によれば、さらに冷媒吐出量を増加させるように圧縮機１１１を制御することにより、強力に空調された空気の風量を増加させて下流の空調エリアへ送風することができる。この空調風によれば、さらに早く空調エリアの温度をサーモオフ温度に早く持っていくことができる。
【００７０】
加速空調制御は、流路開度調整装置の制御に加え、さらに空調空気の送風量が大きくなるように室内送風機１０１を制御することを含んでいる。この構成によれば、室内機１０から送風される大元の風量を増加させるので、より多くの空調空気を下流の空調エリアへ送風することができる。この構成によっても、さらに早く空調エリアの温度をサーモオフ温度に早く持っていくことができる。
【００７１】
空調システム１は、ヒートポンプサイクルを循環する冷媒を吐出する圧縮機１１１を備える。空調システム１は、冷媒吐出量を増加させるように圧縮機１１１を制御して空調出力を上げることにより加速空調制御を実施する。この構成によれば、室内熱交換器における冷媒の吸熱作用や放熱作用を大きくすることにより、下流の空調エリアへより大きな空調能力を供給できる。このように、ヒートポンプサイクルにおける空調出力を強化する制御により、空調エリアの温度をサーモオフ温度に早く持っていくことができる。
【００７２】
加速空調制御は、圧縮機１１１の冷媒吐出量を増加させる制御に加え、さらに空調空気の送風量が大きくなるように室内送風機１０１を制御することを含んでいる。この構成によれば、室内熱交換器における冷媒の吸熱作用や放熱作用の強化と、室内機１０から送風される大元の風量の増加とを実施するので、より大きい空調能力を有する空調空気を下流の空調エリアへより多く送風することができる。したがって、さらに早く空調エリアの温度をサーモオフ温度に早く持っていくことができる。
【００７３】
空調システム１は、空調空気の送風量が大きくなるように室内送風機１０１を制御することにより加速空調制御を実施する。この構成によれば、室内送風機１０１の送風量を大きく制御することにより、下流の空調エリアへの送風量が増加して、より大きな空調能力を供給できるので、空調エリアの温度をサーモオフ温度に早く持っていくことができる。
【００７４】
（第２実施形態）
第２実施形態では、空調システム１が実行する他の制御について図８を参照して説明する。図８のフローチャートは、第１実施形態において図３を参照して説明したフローチャートに対して、ステップＳ３０Ａ、ステップＳ４０が相違する。以下、第１実施形態と相違する内容について説明する。
【００７５】
システム制御部１００は、各リモコンによって設定された空調運転制御を継続している状態において、ステップＳ２０、ステップＳ３０Ａ、ステップＳ４０の処理を繰り返し実行する。ステップＳ２０においてＹＥＳ判定である場合は、システム制御部１００はステップＳ３０Ａにおいて、空調を停止するサーモオフ処理を実行する。ステップＳ３０Ａでは、例えば、室内送風機１０１の停止処理、ダンパ装置の下限値開度処理、ダンパ装置の閉処理、圧縮機１１１の停止処理を実行することにより、サーモオフ処理を行う。空調システム１は、少なくとも一つの空調エリアにおいてサーモオフ実行条件が成立した場合にサーモオフ処理を行うことにより、空調対象であるすべての空調エリアについて空調を停止する。この制御によれば、空調エリアが冷えすぎたり暖まりすぎたりする状態を抑制できる。
【００７６】
サーモオフ処理を実行した後、システム制御部１００は、ステップＳ４０においてダンパ装置の開度を所定の開始位置に設定して次の空調運転開始時の開度設定を行う。そして、ステップＳ１０に戻って次の空調運転まで待機する。ステップＳ４０においてダンパ装置の開度は、以下のように設定処理される。ステップＳ４０では、ステップＳ２０においてサーモオフ実行条件が成立した空調エリアに対応するダンパ装置を、下限値の開度または流路を閉じる開度に設定する。これにより、次の空調運転を空調出力が小さく空調が効きにくい状態から開始することができる。ステップＳ４０では、ステップＳ２０においてサーモオフ実行条件が不成立である空調エリアに対応するダンパ装置を、上限値の開度または流路を開放した開度に設定する。これにより、次の空調運転を空調出力が大きく空調が効きやすい状態から開始することができる。
【００７７】
第２実施形態によれば、空調システム１は、複数の空調エリアのうち、サーモオフ温度を満たす空調エリアが一つでも存在する場合に、すべての空調エリアに対して空調を停止するサーモオフ処理を実施する。
【００７８】
この空調システムによれば、複数の空調エリアのうち少なくとも一つの空調エリアについてサーモオフ温度を満たす場合に、すべての空調エリアに対してサーモオフ処理を実施する。この処理により、これ以上、各空調エリアに空調が行き渡らないようにして迅速に温調を停止する。この空調システム１は、空調継続による空調エリアの冷えすぎや暖まりすぎを抑制することができ、空調エリアにいる人が快適性を損なうことを迅速に回避できる。
【００７９】
空調システム１は、サーモオフ処理の実施後に、サーモオフ実行条件が成立した空調エリアに対応するダンパ装置を、下限値の開度または流路を閉じる開度に設定する。この構成によれば、次回の空調運転を空調出力が小さく空調が効きにくい状態から開始することができるので、またすぐにサーモオフ温度に到達してしまうことを抑制できる。
【００８０】
空調システム１は、サーモオフ処理の実施後に、サーモオフ温度を満たしていない空調エリアに対応するダンパ装置を、上限値の開度または流路を開放した開度に設定する。この構成によれば、次回の空調運転を空調出力が大きく空調が効きやすい状態から開始することができるので、サーモオフ実行条件が成立していて空調が効きやすい状態にあった他のエリアとの温度差を抑えることに貢献できる。
【００８１】
（第３実施形態）
第３実施形態では、空調システム１が実行する他の制御について図９を参照して説明する。図９のフローチャートは、第２実施形態において説明したフローチャートに対して、ステップＳ２０の後にステップＳ２１を実行する点と、ステップＳ２１でＮＯ判定である場合に加速空調制御処理を実行する点とが相違する。以下、前述の実施形態と相違する内容について説明する。
【００８２】
システム制御部１００は、各リモコンによって設定された空調運転制御を継続している状態において、ステップＳ２０の判定処理とステップＳ２１の判定処理とを繰り返し実行する。ステップＳ２０においてＹＥＳ判定である場合は、システム制御部１００はステップＳ２１においてダンパ装置の開度が下限値であるか否かを判定する。またステップＳ２１では、ダンパ装置の開度が流路を閉じている状態であるか否かを判定するようにしてもよい。
【００８３】
ステップＳ２１においてダンパ装置の開度が下限値でなく、または流路を閉じていない状態である場合には、ステップＳ３０で第１実施形態と同様の加速空調制御を実行し、再びステップＳ１０に戻って空調運転制御を続行する。ステップＳ２１においてダンパ装置の開度が下限値であり、または流路を閉じている状態である場合には、ステップＳ３０Ａにおいて第１実施形態と同様のサーモオフ処理を実行する。さらに、第２実施形態と同様にステップＳ４０でダンパ装置の開始開度処理を行い、ステップＳ１０に戻って次の空調運転まで待機する。
【００８４】
ステップＳ２１においてＹＥＳ判定である場合は、各空調エリアへの送風量が小さくなっているか、ほぼゼロである状態である。この状態は空調エリアに少しずつ送風が行われているにもかかわらず、複数の空調エリアのうち少なくとも一つのエリアにおいてサーモオフ実行条件が成立している。このような状態では冷えすぎまたは暖まりすぎの程度がかなり進んでいるため、即座に空調を停止して快適性の悪化を早期に抑制できる。
【００８５】
またステップＳ２１では、ステップＳ２０で判定対象としているすべての空調エリアに対応するダンパ装置について、開度を判定するものとする。この場合、すべてのダンパ装置の開度が閉じている状態またはそれに近い状態で風量が少ないにもかかわらず空調が十分に効いているため、加速空調制御よりもサーモオフ処理を実行することにより、早期にすべての空調エリアの冷えすぎや暖まりすぎを抑制できる。
【００８６】
またステップＳ２１では、サーモオフ実行条件が不成立であると判定された空調エリアに対応するダンパ装置について、開度を判定するものとする。この場合、不成立のエリアを加速空調制御したとしてもサーモオフ温度に到達するまで時間を要する。このため、加速空調制御よりもステップＳ３０Ａでサーモオフ処理を実行することにより、早期にすべての空調エリアの冷えすぎや暖まりすぎを抑制できる。
【００８７】
第３実施形態の空調システム１は、複数の空調エリアのうち、サーモオフ温度を満たす空調エリアが一つでも存在するときに、すべての空調エリアに対応する流路開度調整装置の開度が下限値または流路を閉じている状態である場合に、加速空調制御を実施しない。空調システム１は、この場合、すべての空調エリアに対して空調を停止するサーモオフ処理を実施する。この構成によれば、送風量がほとんどない状態であるにもかかわらず、空調が十分に効いていることになる。このような状態に加速空調制御を実施しないでサーモオフ処理を実行することにより、即座に空調を停止できるので、早期にすべての空調エリアの冷えすぎや暖まりすぎの状態から脱出することができる。
【００８８】
（第４実施形態）
第４実施形態では、空調システム１が実行する他の制御について図１０を参照して説明する。図１０のフローチャートは、第１実施形態の図３を参照して説明したフローチャートに対して、ステップＳ３０の後にステップＳ３１、ステップＳ３２、ステップＳ４０を実行する点が相違する。またステップＳ３２は第２実施形態のステップＳ３０Ａと同様の処理である。以下、第１実施形態および第２実施形態と相違する内容について説明する。
【００８９】
システム制御部１００は、各リモコンによって設定された空調運転制御を継続している状態において、ステップＳ２０の判定処理とステップＳ３１の判定処理とを繰り返し実行する。
【００９０】
ステップＳ３０で加速空調制御を実行した後に、ステップＳ３１において、加速空調制御を実行してから所定時間経過後に、サーモオフ実行条件がまだ不成立であるエリアがあるか否かを判定する。つまり、ステップＳ３１では、加速空調制御を所定時間継続したにもかかわらず、まだサーモオフ温度に到達していない空調エリアがあるか否かを判定する。
【００９１】
ステップＳ３１においてすべてのエリアがサーモオフ温度に到達している場合には、ステップＳ１０Ｂで通常のサーモオフを実施し、再びステップＳ１０に戻って空調運転制御を続行する。ステップＳ３１においてサーモオフ実行条件がまだ不成立であるエリアがある場合には、ステップＳ３２において第２実施形態のステップＳ３０Ａと同様のサーモオフ処理を実行する。そして、第２実施形態と同様にステップＳ４０でダンパ装置の開始開度処理を行い、ステップＳ１０に戻って次の空調運転まで待機する。
【００９２】
ステップＳ３１においてＹＥＳ判定である場合は、加速空調制御を所定時間継続したにもかかわらず、すべての空調エリアがまだサーモオフ温度に到達していない状況である。加速空調制御をこれ以上継続しても、サーモオフ温度に到達までに時間をさらに要するため、ステップＳ３０Ａで即座に空調を停止する。この処理により、冷えすぎの程度または暖まりすぎの程度がさらに進んでしまうことを回避できる。
【００９３】
第４実施形態の空調システム１は、加速空調制御を実施してから所定時間経過後に、サーモオフ温度を満たしていない空調エリアがある場合には、すべての空調エリアに対して空調を停止するサーモオフ処理を実施する。この構成によれば、所定時間、加速空調制御を行っても、すべての空調エリアがサーモオフ状態にならない場合に、強制的に空調停止する。これにより、加速空調制御の実施時間を抑えて、省エネルギが図れるとともに、早期にすべての空調エリアの冷えすぎや暖まりすぎの状態から脱出することができる。
【００９４】
（第５実施形態）
第５実施形態について図１１および図１２を参照して説明する。図１１に示すように、第５実施形態の空調システム１は、図１２のステップＳ２０Ａにおいて判定対象となる空調エリアを使用者等の人の操作により設定できる対象エリア操作部を備えている。対象エリア操作部の操作によって、ステップＳ２０Ａの判定対象から除外された空調エリアはステップＳ１１の判定処理において除外エリアとして認識される。このように除外エリアは、使用者等が設定できるエリアであるので、加速空調制御等の対象から除外したいエリアは使用者等の好みによって設定されうる。使用者等は、除外エリアとして、例えば、使用頻度が低い空調エリア、他のエリアに対して空調負荷が低いエリア、他のエリアに対して空調負荷が高いエリア、空調を必要としないエリアなどを設定することができる。
【００９５】
メインリモコン１６は、少なくとも第１エリア２１を、ステップＳ２０Ａにおける判定対象とするか否かを設定できる対象エリア操作部１６ｂを備えている。対象エリア操作部１６ｂは、第１エリア２１に加えて、他の残りのエリアについても設定できる構成としてもよい。この構成の場合、対象エリア操作部１６ｂは、第１エリア２１だけでなく、第２エリア２２、第３エリア２３、第４エリア２４および第５エリア２５の少なくとも一つについても判定対象とするか否かを設定できる操作部である。システム制御部１００には、対象エリア操作部１６ｂの操作に応じた設定エリアに関する設定信号が入力される構成である。
【００９６】
個別リモコン１６１は、第２エリア２２を、ステップＳ２０Ａにおける判定対象とするか否かを設定できる対象エリア操作部１６１ｂを備えている。システム制御部１００には、対象エリア操作部１６１ｂの操作に応じた設定エリアに関する設定信号が入力される構成である。個別リモコン１６２は、第３エリア２３を、ステップＳ２０Ａにおける判定対象とするか否かを設定できる対象エリア操作部１６２ｂを備えている。システム制御部１００には、対象エリア操作部１６２ｂの操作に応じた設定エリアに関する設定信号が入力される構成である。個別リモコン１６３は、第４エリア２４を、ステップＳ２０Ａにおける判定対象とするか否かを設定できる対象エリア操作部１６３ｂを備えている。システム制御部１００には、対象エリア操作部１６３ｂの操作に応じた設定エリアに関する設定信号が入力される構成である。個別リモコン１６４は、第５エリア２５を、ステップＳ２０Ａにおける判定対象とするか否かを設定できる対象エリア操作部１６４ｂを備えている。システム制御部１００には、対象エリア操作部１６４ｂの操作に応じた設定エリアに関する設定信号が入力される構成である。
【００９７】
図１２のフローチャートは、第２実施形態において説明したフローチャートに対して、ステップＳ１０の後にステップＳ１１の判定処理を実行する点が相違する。システム制御部１００は、各リモコンによって設定された空調運転制御を継続している状態において、ステップＳ１１、ステップＳ２０、ステップＳ２０Ａの判定処理を繰り返し実行する。
【００９８】
システム制御部１００は、ステップＳ１１において除外エリアがあるか否かを判定する。ステップＳ１１において除外エリアが設定されていない場合は、ステップＳ２０の判定処理を実行し、ステップＳ２０でＹＥＳ判定である場合はステップＳ３０Ａ、ステップＳ４０を順に実行する。
【００９９】
ステップＳ１１において除外エリアが設定されている場合は、ステップＳ２０Ａにおいて、設定されている各空調エリアの温度がサーモオフ実行条件を満たしているかを検出し、少なくとも一つの空調エリアについてサーモオフ実行条件が成立するか否かを判定する。ステップＳ２０Ａでは、第１実施形態のステップＳ２０と同様に判定処理するものである。
【０１００】
除外されていない設定エリアのうち、いずれかのエリアについてサーモオフ実行条件が成立し、残りの空調エリアについて不成立である場合、ステップＳ２０ＡではＹＥＳ判定を行う。また設定エリアのうち、すべての空調エリアについて不成立である場合、ステップＳ２０ＡではＮＯ判定を行う。
【０１０１】
ステップＳ２０ＡにおいてＮＯ判定である場合は、すべての設定エリアがまだサーモオフ温度に達しておらず、冷えすぎや暖まりすぎではない状態であるので、再びステップＳ１０に戻って空調運転制御を続行する。ステップＳ２０ＡにおいてＹＥＳ判定である場合は、システム制御部１００はステップＳ３０Ａ、ステップＳ４０を順に実行し、ステップＳ１０に戻って次の空調運転まで待機する。
【０１０２】
第５実施形態の空調システム１は、サーモオフ温度を満たすか否かを判定する空調エリアを設定可能な対象エリア操作部を備える。空調システム１は、ステップＳ２０Ａにおいて、対象エリア操作部の操作によって設定された複数の空調エリアについてサーモオフ温度を満たす空調エリアが一つでもあるか否かを判定する。
【０１０３】
この構成によれば、空調能力を必要とする空調エリアでないなどを使用者の判断によって、除外エリアとして設定することができる。これにより、ユーザの好みや使い勝手に適合した加速空調制御などを実施できる空調システム１を提供できる。また、空調負荷の高いエリアや、人が少ないまたは不在でも日射量や放熱量が大きいエリアは、加速空調制御を実施してもサーモ温度に到達しにくく、加速空調制御の時間を長くする要因になり得る。第５実施形態の空調システム１は、このようなエリアを除外エリアに設定することにより、加速空調制御の時間を減らし、早く快適性の高い状態に持っていける空調運転制御を提供できる。
【０１０４】
（第６実施形態）
第６実施形態について図１３および図１４を参照して説明する。図１３に示すように、第６実施形態の空調システム１は、図１４のステップＳ２０Ｂにおいて判定対象となる、人が在室している空調エリアを、在室検出装置１７によって自動で検出できる機能を備えている。在室検出装置１７によって人の存在を検出できない空調エリアは、人などの発熱体が存在しないため、空調負荷が低いエリアであり、ステップＳ１１Ａの判定処理において不在エリアとして認識される。在室検出装置１７には、例えば人感センサ、熱線センサ、サーモグラフィカメラ等を採用することができる。システム制御部１００には、在室検出装置１７による検出結果の信号が入力される構成である。
【０１０５】
図１４のフローチャートは、第５実施形態において説明したフローチャートに対して、図１２のステップＳ１１とステップＳ２０Ａが、ステップＳ１１ＡとステップＳ２０Ｂに置き換えられる点が相違する。システム制御部１００は、各リモコンによって設定された空調運転制御を継続している状態において、ステップＳ１１Ａ、ステップＳ２０、ステップＳ２０Ｂの判定処理を繰り返し実行する。
【０１０６】
システム制御部１００は、ステップＳ１１Ａにおいて、在室検出装置１７による検出結果に基づいて、複数の空調エリアの中に人がいない不在エリアがあるか否かを判定する。ステップＳ１１Ａにおいて不在エリアがない場合は、ステップＳ２０の判定処理を実行し、ステップＳ２０でＹＥＳ判定である場合はステップＳ３０Ａ、ステップＳ４０を順に実行する。
【０１０７】
ステップＳ１１Ａにおいて不在エリアがある場合は、ステップＳ２０Ｂにおいて、不在エリアを除いた在室エリアの温度がサーモオフ実行条件を満たしているかを検出し、少なくとも一つの在室エリアについてサーモオフ実行条件が成立するか否かを判定する。ステップＳ２０Ｂでは、第１実施形態のステップＳ２０と同様に判定処理するものである。
【０１０８】
人がいる在室エリアのうち、いずれかのエリアについてサーモオフ実行条件が成立し、残りのエリアについて不成立である場合、ステップＳ２０ＢではＹＥＳ判定を行う。また在室エリアのうち、すべてのエリアについて不成立である場合、ステップＳ２０ＢではＮＯ判定を行う。
【０１０９】
ステップＳ２０ＢにおいてＮＯ判定である場合は、すべての在室エリアがまだサーモオフ温度に達しておらず、冷えすぎや暖まりすぎではない状態であるので、再びステップＳ１０に戻って空調運転制御を続行する。ステップＳ２０ＢにおいてＹＥＳ判定である場合は、システム制御部１００はステップＳ３０Ａ、ステップＳ４０を順に実行し、ステップＳ１０に戻って次の空調運転まで待機する。
【０１１０】
第６実施形態の空調システム１は、人が在室している空調エリアを検出可能な在室検出装置１７を備える。空調システム１は、在室検出装置１７によって人の在室が検出された複数の空調エリアについて、サーモオフ温度を満たす空調エリアが一つでもあるか否かを判定する。この構成によれば、人が不在で空調能力を必要としない空調エリアであるなどを、人の判断に委ねるのではなく自動運転によって、除外エリアとして設定することができる。これにより、人が設定する手間がなく、人の存在に係る事実に適合した加速空調制御などを実施できる空調システム１を提供できる。
【０１１１】
（第７実施形態）
第７実施形態では、空調システム１が実行する他の制御に関して、図１５を参照して第１実施形態と相違する内容について説明する。図１５のフローチャートは、第１実施形態の図３を参照して説明したフローチャートに対して、ステップＳ２０の後にステップＳ２２の判定処理を実行する点が相違する。
【０１１２】
ステップＳ２０においてＹＥＳ判定である場合は、ステップＳ２２において所定の待機時間が経過するまで加速空調制御を開始せず、所定の待機時間が経過するとステップＳ３０の加速空調制御を実行する。つまり、ステップＳ２０でＹＥＳ判定である場合に、すぐに加速空調制御を実行するのではなく、このような状態がしばらく継続した場合に、加速空調制御を実行して、室内機１０の空調出力を上げたり送風量を上げたりして早期にサーモオフ温度に到達させる。
【０１１３】
第７実施形態の空調システム１は、複数の空調エリアのうち、一つの空調エリアがサーモオフ温度を満たしたときから待機時間経過後に、加速空調制御を開始する。これによれば、外部からの日射量の一時的な変動や座室人数の一時的な変動などによって一時的な室温変動が生じたことでＹＥＳ判定がなされて、すぐに加速空調制御が開始されてしまうことを防止できる。また、複数の空調エリアにおいて空調負荷の差が小さくサーモオフ温度に到達するまであとわずかである場合に、加速空調制御を実行するまでもなく通常のサーモオフ処理によって、冷えすぎや暖まりすぎを抑えることができる。
【０１１４】
（第８実施形態）
第８実施形態では、空調システム１が実行する他の制御に関して、図１６を参照して第２実施形態と相違する内容について説明する。図１６のフローチャートは、第２実施形態の図８を参照して説明したフローチャートに対して、ステップＳ２０の後にステップＳ２３の判定処理を実行する点が相違する。
【０１１５】
ステップＳ２０においてＹＥＳ判定である場合は、ステップＳ２３において所定の待機時間が経過するまでサーモオフ処理を開始せず、所定の待機時間が経過するとステップＳ３０Ａのサーモオフ処理を実行する。つまり、ステップＳ２０でＹＥＳ判定である場合に、すぐにサーモオフ処理を実行するのではなく、このような状態がしばらく継続した場合に、サーモオフ処理を実行して、冷えすぎや暖まりすぎを抑えることができる。
【０１１６】
第７実施形態の空調システム１は、複数の空調エリアのうち、サーモオフ温度を満たす空調エリアが一つでも存在したときから所定の待機時間経過後に、サーモオフ処理を開始する。これによれば、外部からの日射量の一時的な変動や座室人数の一時的な変動などによって一時的な室温変動が生じたことでＹＥＳ判定がなされて、すぐにサーモオフ処理が開始されてしまうことを防止できる。
【０１１７】
（第９実施形態）
第９実施形態では、空調システム１が実行する他の制御に関して、図１７を参照して第１実施形態と相違する内容について説明する。図１７のフローチャートは、第１実施形態の図３を参照して説明したフローチャートに対して、加速空調制御としてステップＳ３０ＢとステップＳ３０Ｃとの二段階の処理に分けて実行する点が相違する。
【０１１８】
ステップＳ２０においてＹＥＳ判定である場合は、システム制御部１００は、ステップＳ３０Ｂにおいて加速空調制御の一つとして送風出力を増加させるように室内送風機１０１を制御する。これにより、各空調エリアに供給される風量が増加して、早期にサーモオフ温度に到達させることに寄与する。
【０１１９】
ステップＳ３０Ｂの処理は、ステップＳ２２において所定の制御時間が経過した判定されるまで継続する。所定の制御時間が経過する前に、空調エリアの温度がサーモオフ温度に到達した場合には、前述した通常のサーモオフ処理を実行するので、ステップＳ３０の処理を中止し、ステップＳ１０に戻ることになる。ステップＳ３０Ｂを所定の制御時間継続しても、サーモオフ温度に到達しない場合は、ステップＳ３０Ｃにおいて空調出力を増加させる処理を実行し、ステップＳ１０に戻って空調運転制御を続行する。システム制御部１００は、例えばステップＳ３０Ｃにおいて冷媒吐出量を増加するように圧縮機１１１の出力を増加させる処理を実行する。また、第９実施形態の空調システム１は、図１７のフローチャートにおいてステップＳ３０ＢとステップＳ３０Ｃは、その順番を入れ替えるように構成してもよい。このように構成にしても加速空調制御の出力が十分でない場合に空調を段階的に強化することができる。
【０１２０】
第９実施形態によれば、送風量の増加と空調出力の増加とを段階的に実行することによって、加速空調制御の出力が十分でない場合に空調を強化できるので、早期に冷えすぎや暖めすぎを抑えることを実現できる。
【０１２１】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、一つの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【０１２２】
空調システム１が空調対象とする複数の空調エリアは、前述の実施形態において開示する形態やエリアの個数に限定されない。また空調システム１は、単層階に設定された複数の空調エリアや、複層階にわたって設定された複数の空調エリアを空調対象とする。
【０１２３】
明細書に開示の目的を達成可能な空調システムは、前述の実施形態において開示した一つの室内機を備える形態に限定されない。空調システム１は、複数の室内機を備えて複数の空調エリアを空調する構成でもよい。
【符号の説明】
【０１２４】
１…空調システム
１４１〜１４６，１５１〜１５６…ダンパ装置（流路開度調整装置）
１６ｂ，１６１ｂ，１６２ｂ，１６３ｂ，１６４ｂ…対象エリア操作部
１７…在室検出装置、  １０１…室内送風機、  １１１…圧縮機
【図１】
2020051700.tif 000003
【図２】
2020051700.tif 000004
【図３】
2020051700.tif 000005
【図４】
2020051700.tif 000006
【図５】
2020051700.tif 000007
【図６】
2020051700.tif 000008
【図７】
2020051700.tif 000009
【図８】
2020051700.tif 000010
【図９】
2020051700.tif 000011
【図１０】
2020051700.tif 000012
【図１１】
2020051700.tif 000013
【図１２】
2020051700.tif 000014
【図１３】
2020051700.tif 000015
【図１４】
2020051700.tif 000016
【図１５】
2020051700.tif 000017
【図１６】
2020051700.tif 000018
【図１７】
2020051700.tif 000019